(57)【要約】【課題】簡易な構造を採用しながら階高の変更に随時に対応させて、階段自体の螺着状態を変更するのみで所望段数の階段として構成することができる鋼製の階高可変階段とその施工法を提供する。【解決手段】本発明による鋼製の階高可変階段１は、階高に応じて踏面と蹴上とから成る段を必要段数配置して構成される鋼製階段において、固定段数に構成された基準階段２の上端踏面２−４にねじ穴４−２を有する下向きの結合部４を形成し、結合部４に基準階段２と同形状の踏面３−２と上部と下部にねじ穴４−２に対応する貫通孔３−５、３−６を有するＬ字状の蹴上３−３とから構成されると共に踏面端部に下向きの結合部３−１を形成して構成される可変階段３を螺着自在に装備させ、結合部をＬ字状に形成しながら可変階段３の蹴上をＬ字状結合部に対面するＬ字状に形成している。【選択図】  図１
2004316096.tif 000002
【特許請求の範囲】
【請求項１】
階高に応じて踏面と蹴上とから成る段を必要段数配置して構成される鋼製階段であって、固定段数に構成された基準階段の上端踏面にねじ穴を有する下向きの結合部を形成し、該結合部に基準階段と同形状の踏面と上部と下部に該ねじ穴に対応する貫通孔を有するＬ字状の蹴上とから構成されると共に踏面端部に下向きの結合部を形成して構成される可変階段を螺着自在に装備させることを特徴とする鋼製の階高可変階段。
【請求項２】
結合部をＬ字状に形成し、可変階段の蹴上をＬ字状結合部に対面するＬ字状に形成することを特徴とする請求項１に記載の鋼製の階高可変階段。
【請求項３】
請求項１又は２に記載の階高可変階段の施工法であって、基準階段の上端踏面に形成された結合部のボルトを弛め、必要数の可変階段を上方もしくは下方に移動させてＬ字状の結合部にＬ字状の蹴上を当接させ、しかる後に結合部のボルトを締結させて所望段数の段を構成する鋼製の階高可変階段の施工法。
【発明の詳細な説明】
【０００１】
【発明の属する技術分野】
本発明は、鋼製の階高可変階段とその施工法に関し、特に階高の変更に随時に対応させて所望段数の段として構成する鋼製の階高可変階段とその施工法に関する。
【０００２】
【従来の技術】
高層建築物等の構造物における各種イベントの開催や密集地において発生する周辺地域との日照権問題等に対応するための高さ制限に対処する必要性から、階高を適宜に調整して所望の空間を確保したり、構造物の高さを変更することが行われている。（例えば、特許文献１、２を参照）
【０００３】
階高の変更は、建物の階段を構造物の階高に合わせた形状に施工する必要を生じるが、階段の施工には、特定職人による高い技量を要することから、階段を予めプレキャストにより製造しながら現場で施工している。階段のプレキャストは、階高や階床に応じた段数、踏面及び蹴上を計算で求めて、断面くの字型の型板を作って所定の傾斜度に調整しながら枠体内に連続して並べて型枠装置を組み立て、コンクリートと鉄筋等の補強材を投入することで製造しているが、型板を必要な数の段数分製作しなければならず、設計意匠上から階高及び階床が段毎に異なる際にはそれぞれの型枠装置を製作する必要があり、他の段に転用することも困難であった。
【０００４】
このために、階高及び階床の異なる階段でも１台の型枠装置で階高と階床に合わせて段数および蹴上を可変に設定することで、階段の製造時間を短縮しコストダウンを図ることが指向されている。（例えば、特許文献３を参照）
【０００５】
単一の型枠装置で階高及び階床の異なる階段に合わせて段数および蹴上をそれぞれ可変に設定するための型枠装置１０は、図４に例示するように長手方向に案内溝が形成された枠体１１と、この枠体１１に揺動可能に軸架される断面略コ字状の複数の型１２とを備えている。型１２は、一定の傾斜角度で互いに隣接する型１２と当接させて固定具１３で固定されている。
【０００６】
階段１４は、この枠体１１に、型１２を所望の段数に応じて前後方向に移動可能に連続して並べ入れて揺動可能に軸架するものであり、型１２の傾斜角度を調整して蹴上を決定した後に固定具１３で固定しており、枠体１１と型１２の傾斜面１５、１６とで画成される空間１７にコンクリート１８を投入、成型することで製造される。
【０００７】
しかるに、これらのプレキャストコンクリート階段は、型枠装置を必要にすると同時に、型枠装置の設定において依然として多くの調整作業を要していることから、更なる製造時間の短縮とコストダウンが求められている。
【０００８】
【特許文献１】
特開平８−４１８４号公報（段落番号「０００２」〜「０００３」、図２）
【特許文献２】
特開２０００−２６５５６２号公報（段落番号「０００３」〜「０００４」、「０００８」〜「００１１」、「００１７」、図１、５、６）
【特許文献３】
特開平７−８２８５５号公報（段落番号「０００９」〜「００１０」、図１、２）
【０００９】
【発明が解決しようとする課題】
本発明は、上記の状況に鑑みてその改善のために提案するものであり、簡易な構造を採用しながら階高の変更に随時に対応させて、段自体の螺着状態を変更するのみで所望段数の階段として構成することができる鋼製の階高可変階段とその施工法を提供している。
【００１０】
【課題を解決するための手段】
本発明による鋼製の階高可変階段は、階高に応じて踏面と蹴上とから成る段を必要段数配置して構成される鋼製階段において、固定段数に構成された基準階段の上端踏面にねじ穴を有する下向きの結合部を形成し、結合部に基準階段と同形状の踏面と上部と下部にねじ穴に対応する貫通孔を有するＬ字状の蹴上とから構成されると共に踏面端部に下向きの結合部を形成して構成される可変階段を螺着自在に装備させ、結合部をＬ字状に形成しながら可変階段の蹴上をＬ字状結合部に対面するＬ字状に形成することを特徴としており、簡易な構造を採用しながら階高の変更に随時に対応させている。
【００１１】
又、本発明による鋼製の階高可変階段の施工法は、上記階高可変階段の施工法において、基準階段の上端踏面に形成された結合部のボルトを弛め、必要数の可変階段を上方もしくは下方に移動させてＬ字状の結合部にＬ字状の蹴上を当接させ、しかる後に結合部のボルトを締結させて所望段数の段を構成しており、階高の変更に随時に対応させて、階段自体の螺着状態を変更するのみで所望段数の段として構成することができる。
【００１２】
【発明の実施の形態】
本発明による鋼製の階高可変階段は、固定段数に構成された基準階段の上端踏面にねじ穴を有する下向きの結合部を形成し、結合部には、基準階段と同形状の踏面と上部と下部にねじ穴に対応する貫通孔を有するＬ字状の蹴上とから構成され踏面端部に下向きの結合部を形成することで構成される可変階段を螺着自在に装備させており、結合部をＬ字状に形成すると共に可変階段の蹴上をＬ字状結合部に対面するＬ字状に形成している。
以下に、本発明による鋼製の階高可変階段に関する実施の形態を図面に基づいて詳細に説明する。
【００１３】
図１は、本発明による階高可変階段の基本形態を示す斜視図であり、階高可変階段１は、鋼製であって基準階段２と可変階段３とから構成されている。
基準階段２は、固定された複数の段２−１から構成されており、予定される構造物の最低の階高に対応できるようにその高さＨに設定している。配置される複数の段２−１は、それぞれが所定の幅ｂを有する踏面２−２と同じく所定の高さｈを有する蹴上２−３とから形成されている。
【００１４】
基準階段２の上端に位置する踏面２−４には、下向きにＬ字状の結合部４を形成しており、結合部４の立面４−１には、ほぼ中間の位置にねじ穴４−２を備えている。ねじ穴４−２には、ボルト５が螺着されており、これによって後述する可変階段３を結合部４に接合させるものである。結合部４の立面４−１は、その高さをｈ’に形成されており、可変階段３との安定的な接合を確保できる形状に構成されている。
【００１５】
可変階段３、３’は、基準階段２の段２−１と同様な幅ｂを有する踏面３−２と同じ蹴上の高さｈを確保するために、高さｈ＋ｈ’に構成されたＬ字状の蹴上３−３とから形成されており、踏面３−２の端部には下向きの結合部３−１を形成することで構成されている。
【００１６】
可変階段３に形成された蹴上３−３の立面３−４には、その上部と下部にねじ穴４−２に対応する貫通孔３−５、３−６を備えており、階高が低い通常時には、上部の貫通孔３−５をねじ穴４−２に対応させてボルト５によって可変階段３を結合部４に螺着している。そして、次の可変階段３’も同様の形態で可変階段３の結合部３−１に連続的に螺着されている。
【００１７】
以上のように、本実施の形態では、階高可変階段１の基本形態として、基準階段２の上端に２個の可変階段３、３を装備しており、階高可変階段１は、２個の可変階段３、３を段の踊り場として機能させながら、その高さＨに関連した階高もしくは階床に適合できる階段として構成されている。
【００１８】
しかして、図２は、本発明による階高可変階段を基本形態から変化させた形態を示す斜視図であり、段数を２段増設した状態の丈高の段として形成されている。
本形態では、基準階段２の踏面２−４に形成された結合部４のねじ穴４−２に可変階段３の蹴上３−３の立面３−４に設けた貫通孔３−６を対応させることで、基準階段２と可変階段３とをボルト５によって螺着している。同様に、可変階段３の踏面３−２の端部に形成された結合部３−１のねじ穴４−２に、可変階段３’の蹴上３−３の立面３−４に設けた貫通孔３−６を対応させながら、可変階段３と可変階段３’とをボルト５によって一体に螺着されている。
【００１９】
従って、階高可変階段１は、基準階段２上端の踏面２−４から可変階段３、３’の各踏面３−２へと続いており、基準階段２の段２−１に続けて連続的に継続する段を構成している。
【００２０】
以上のように、本実施の形態では、階高可変階段１の変形形態として、基準階段２の上端に位置する踏面２−４に継続させて可変階段３を上方に移動させながら接合されており、この可変階段３に継続させて次の可変階段３’も上方に移動させながら同様に接合している。これによって、階高可変階段１の高さは、変更前のＨに蹴上３−３の高さｈを２段に加算した数値（Ｈ＋２ｈ）に伸長されており、高さの異なった階高もしくは階床に対応できる段として構成されることになる。
【００２１】
尚、本実施の形態では、基準階段２の結合部４もしくは可変階段３の結合部３−１に設けるねじ穴４−２に対応させるために、可変階段３の蹴上３−３の立面３−４に形成した貫通孔を貫通孔３−５、３−６の２列に形成されているが、貫通孔の配列数はこれに限定されるものでなく、貫通孔３−５、３−６の中間に配置される貫通孔３−６’のようにその配列数を増やすことによって、種々の階高に対応できるものであり、図示する貫通孔３−６’において例示するように貫通孔を縦長に構成することによって設定階高の微調整も可能な形態にも構成できるものである。
【００２２】
次ぎに、本発明による鋼製の階高可変階段の施工法について説明する。
本発明の階高可変階段の施工法は、上述した階高可変階段を施工するものであり、基準階段の上端踏面に形成された結合部のボルトを弛め、必要数の可変階段を上方もしくは下方に移動させてＬ字状の結合部にＬ字状の蹴上を当接させ、しかる後に結合部のボルトを締結させて所望段数の階段を構成しており、階高の変更に随時に対応させて、階段自体の螺着状態を変更するのみで所望段数の段として構成することを可能にしている。
以下に、本発明による鋼製の階高可変階段の施工法に関する実施の形態を図３に基づいて詳細に説明する。
【００２３】
図３（ａ）は、図１で説明した基本形態における階高可変階段の適用例であり、階高可変階段１は、基準階段２とその上端に位置する踏面２−４に面一に結合する可変階段３、３’から構成されている。
【００２４】
本実施の形態での階高可変階段１は、基準階段２の最大高さＨに設定されており、基準階段２の上端に位置する踏面２−４の結合部４には、可変階段３を連続的に接合させている。従って、結合部４に設けられたねじ穴４−２には、可変階段３に形成された蹴上３−３の上部の貫通孔３−５を対応させながらボルト５で可変階段３を結合部４に螺着して、予定される構造物の階高に対応するように形成されている。
【００２５】
この際の階段は、その踊り場６を所定の幅Ｂよりも基準階段２に接合させている可変階段３、３’の踏面幅２ｂだけ広く構成されることになり、階高の低い緩やかな空間７を形成している。
【００２６】
図３（ｂ）は、図２で説明した変形形態における階高可変階段の適用例であり、階高可変階段１は、基準階段２とその上端から上方に段状に移動させた可変階段３、３’から構成している。
本実施の形態での階高可変階段１は、基準階段２の最大高さＨに可変階段３、３’の蹴上３−３高さ２ｈを加算した形態（Ｈ＋２ｈ）に設定されており、基準階段２の上端に位置する踏面２−４の結合部４には、ボルト５を一旦弛めて解離させた可変階段３を上方に移動させてから再度接合させている。従って、結合部４に設けられたねじ穴４−２には、最終的に可変階段３に形成された蹴上３−３の下部の貫通孔３−６を対応させながら、結合部４に可変階段３をボルト５で螺着しており、この可変階段３に継続させて次の可変階段３’も同様に上方に移動させながら接合させている。
【００２７】
これらの変更された階高可変階段１は、、予定される階高の高い構造物に対応するように形成されるものであり、その踊り場８を所定の狭い幅Ｂに構成することと相俟って高い天井の広い空間９を形成している。
【００２８】
しかして、上記実施の形態では、基準階段２に続く可変階段として２個の可変階段３、３’を配置しているが、この可変階段の数を更に増加させながら上方に移動させる可変階段の移動形態を調整することで、異なる階高に随時に対応させながらその変形階段の任意の位置に所望の踊り場を配置することも可能である。この場合には、所定位置の可変階段を上方に連続的に移動させずに水平に並べることで踊り場を構成するものであり、その前後の可変階段は、上方に移動させながら階段の変形形態を構成するものであり、これによって、所望の踊り場を中間に配置した階段を形成することになる。
【００２９】
以上のように、本発明による鋼製の階高可変階段とその施工法は、各実施の形態から明らかなように、簡易な構造を採用すると共に階段自体の螺着状態を変更するのみで異なる階高に随時に対応させて所望段数の階段を構成することができる。
【００３０】
以上、本発明を実施の形態に基づいて詳細に説明してきたが、本発明は、上記実施の形態に何ら限定されるものでなく、可変階段の数や可変階段の蹴上に設ける貫通孔の形状と列数等の具体的な形態においては、本発明の趣旨を逸脱しない範囲において、出願時に在って既に公知のものを適用することによる種々の変更が可能であることは、当然のことである。
【００３１】
【発明の効果】
本発明による鋼製の階高可変階段は、階高に応じて踏面と蹴上とから成る段を必要段数配置して構成される鋼製階段において、固定段数に構成された基準階段の上端踏面にねじ穴を有する下向きの結合部を形成し、結合部に基準階段と同形状の踏面と上部と下部にねじ穴に対応する貫通孔を有するＬ字状の蹴上とから構成されると共に踏面端部に下向きの結合部を形成して構成される可変階段を螺着自在に装備させ、結合部をＬ字状に形成しながら可変階段の蹴上をＬ字状結合部に対面するＬ字状に形成することを特徴としているので、簡易な構造を採用しながら階高の変更に随時に対応できる効果を発揮している。
【００３２】
又、本発明による鋼製の階高可変階段の施工法は、上記階高可変階段の施工法において、基準階段の上端踏面に形成された結合部のボルトを弛め、必要数の可変階段を上方もしくは下方に移動させてＬ字状の結合部にＬ字状の蹴上を当接させ、しかる後に結合部のボルトを締結させて所望段数の階段を構成しているので、階高の変更に随時に対応させて、階段自体の螺着状態を変更するのみで所望段数の階段として構成できる効果を発揮している。
【図面の簡単な説明】
【図１】本発明による鋼製の階高可変階段の基本形態を示す実施の形態の斜視図
【図２】本発明による鋼製の階高可変階段の変形した形態を示す実施の形態の斜視図
【図３】本発明による鋼製の階高可変階段の施工法に関する実施の形態図
【図４】従来におけるプレキャストコンクリート階段の成型装置
【符号の説明】
１  階高可変階段、  ２  基準階段、  ２−１  段、
２−２、２−４、３−２  踏面、  ２−３、３−３  蹴上、
３、３’  可変階段、  ３−１、４  結合部、  ３−４、４−１  立面、
３−５、３−６、３−６’  貫通孔、  ４−２  ねじ穴、  ５  ボルト、
６、８  踊り場、  ７、９  空間、  １０  型枠装置、  １１  枠体、
１２  型、１３  固定具、  １４  段、  １５、１６  傾斜面、
１７  空間、  １８  コンクリート、
【図１】
2004316096.tif 000003
【図２】
2004316096.tif 000004
【図３】
2004316096.tif 000005
【図４】
2004316096.tif 000006